Podtech/llm-jp-corpus-v4-ja_patent huggingface dataset:
(57)【要約】【課題】洗濯物の乾燥状態の変化により、色変化を起こす乾燥表示器具を提供する。【解決手段】洗濯ばさみの先端部に保持体を設け、この保持体に吸湿によって変色する物質を含有する指示片を設けたことを特徴とする乾燥表示器具である。【選択図】図１
2005087704.tif 000002
【特許請求の範囲】
【請求項１】
洗濯ばさみに、吸湿によって変色する物質を含有した指示片を設けたことを特徴とする乾燥表示器具。
【請求項２】
吸湿によって変色する物質として塩化コバルト、硫酸第二鉄アンモニウム、塩化鉄、塩化銅、塩化ニッケル、臭化鉄、臭化マンガン、沃化マンガン、硫化ニッケル、硫酸マンガン又は、上記の物質の混合物を用いたことを特徴とする請求項１の乾燥表示器具。
【発明の詳細な説明】
【技術分野】
【０００１】  本発明は洗濯物の乾燥状態の変化により、色変化を起こす乾燥表示器具に関するものである。
【背景技術】
【０００２】  従来、洗濯物の乾燥状態を検知するには、洗濯物に直接手を触れて確かめる方法が用いられていた。
【発明の開示】
【発明が解決しようとする課題】
【０００３】  これは次のような問題があった。
（イ）洗濯物に直接手を触れると、手に付着している汚れや細菌が洗濯物に移り、洗濯物の清潔性を欠いていた。
（ロ）手による乾燥状態の検知は体を動かして行う作業であるため、作業者の労力と時間を費やしていた。
本発明は、これらの問題点を解決するためになされたものである。
【課題を解決するための手段】
【０００４】  洗濯ばさみの先端部に保持体を設け、この保持体に吸湿によって変色する物質を含有する指示片を設けたことを特徴とする乾燥表示器具である。
【発明の効果】
【０００５】  洗濯物の乾燥状態を視覚的な色で表示するため、乾燥と未乾燥の状態を非接触かつ一瞬で判断することができ、手で洗濯物を汚染する可能性が無くなると共に、本作業に要する時間と労力を削減する。
【発明を実施するための最良の形態】
【０００６】  以下、本発明の実施の形態を説明する。
（イ）洗濯ばさみ（１）の先端部に保持体（２）を設ける。
（ロ）保持体（２）に吸湿によって変色する物質を含有した指示片（３）を設ける。吸湿によって変色する物質としては、塩化コバルト、硫酸第二鉄アンモニウム、塩化鉄、塩化銅、塩化ニッケル、臭化鉄、臭化マンガン、沃化マンガン、硫化ニッケル、硫酸マンガン又は、上記の物質の混合物が使用できる。
以上のような構成で、これを使用するときは。乾燥表示器具（５）を濡れた状態の洗濯物（４）に挟む。すると吸湿によって変色する物質が洗濯物の水分に反応し色変化を起こすため指示片（３）の色が変化し、洗濯物（４）が濡れていることを視覚的に認識することができる。また洗濯物（４）が濡れている状態から乾燥状態に移行した場合、吸湿によって変色する物質が乾燥による色変化を起こすため指示片（３）の色が変化し、洗濯物（４）が乾燥していることを視覚的に認識することができる。
【図面の簡単な説明】
【０００７】
【図１】  本発明の斜視図
【図２】  本発明の主要部分を分解した斜視図
【図３】  本発明の使用状態を示す平面図
【符号の説明】
【０００８】  １  洗濯ばさみ
２  保持体
３  指示片
４  洗濯物
５  乾燥表示器具
【図１】
2005087704.tif 000003
【図２】
2005087704.tif 000004
【図３】
2005087704.tif 000005
(57)【要約】【課題】バッティングをして飛んでいってしまうボールを自動的に復元させるバッティング練習具を提供する。【解決手段】基盤と基盤を固定する手段と、基盤に立設されたポールと、可撓性ポールの先端に固定された球と、バッティングにより撓んだ可撓性ポールの衝撃を緩衝する緩衝機構とよりなる野球練習具【選択図】図３
2005087711.tif 000002
【特許請求の範囲】
【請求項１】
基盤と、基盤を固定する手段と、基盤に立設された可撓性ポールと、可撓性ポールの先端に固定された球と、バッティングにより撓んた可撓性ポールの衝撃を緩衝する緩衝機構とよりなる練習具。
【発明の詳細な説明】
【技術分野】
【０００１】本発明は野球の素振り又はボールをミートする時に飛んでいってしまうボールを自動的に元居置にボールを復元させ、野球練習のバッティング機に関するものである。
【背景技術】
【０００２】従来投手がなげたボールやトスしたボールをバットで打っていた。
【発明の開示】
【発明が解決しようとする課題】
【０００３】そのために次のような問題点があった。
ピッチングマシーンでバッティングした場合もトスしたボールでバッティングした場合もネットにボールが当たり、それを１つ１つボールを拾っていた。
手作業に頼るため手や腰が疲れたり、ボールを拾うのに効率が悪かった。
本発明は以上の問題を解決しようとするものである。
【課題を解決するたするための手段】
【０００４】基盤と、基盤を固定する固定手段と、基盤に立設された可撓性ポールと可撓性ポールの先端に固定された球と、バッティングにより撓んだ可撓性ポールの衝撃を緩衝する緩衝機構とよりなる。
以上を特徴とする野球素振り練習具である。
【発明の効果】
【０００５】本発明は、バッティングして飛んでいってしまうボールを自動的また効率的にボール位置が戻るしたがって手作業によるボール拾いのわずらわしさがない。
【発明を実施するための最良の形態】
【０００６】以下本発明の実施の形態を説明する。
（イ）基盤に９０°曲がる可撓性ポールの先端に固定された球（１）を設ける。
（ロ）可撓性ポールの先端に固定された球（１）を９０°曲がる金具（６）でネジとナットで固定されている。
（ハ）可撓性ポールの先端に固定された球（１）はショックアブソーバ（２）又は、基盤（４）で固定されている。
（ニ）可撓性ポールの先端に固定された球（１）には、ブッシュ（７）を取付けてある。
又おもりポリタンクに水を入れた物（３）で固定する地面に。
本発明は以上の構成よりなっている
本発明使用するときは上記のバッティング練習具を地面屋内屋外に置き可撓性ポールの先端に固定された球（１）を打ちショックアブソーバ（２）で衝撃を吸収して又ショックアブソーバ（２）でボールを元の位置に復元させる。
バットがそれた時は、ブッシュ（７）に当たりバットを痛めない。
ポリタンクに水を入れた物（３）でバッティング練習具を固定させる。
【図面の簡単な説明】
【図１】本発明の斜視図
【図２】本発明の分解斜視図
【図３】本発明の使用状態を示す斜視図
【符号の説明】
【０００８】１  ボール（球）
２  ショックアブソーバ
３  おもり
４  基盤
５  ナット
６  ９０°曲がる金具
７  ブッシュ（ゴム）
【図１】
2005087711.tif 000003
【図２】
2005087711.tif 000004
【図３】
2005087711.tif 000005
(57)【要約】【課題】  上部にポンプヘッドが挿入され、内部に可動中皿が配設され、底部に通気孔が設けられたポンプ容器を用いて、毛髪化粧料を均一に毛髪に塗布できるようにする。【解決手段】  塗布用具１０が、上部にポンプヘッド２、内部に可動中皿、底部に通気孔を有するポンプ容器１からなり、ポンプヘッド２の吐出孔が筒型ホルダーピン（パイプソケット４）で櫛部６と連通している。ポンプ容器１には、毛髪化粧料が充填される。【選択図】  図１
2005087838.tif 000002
【特許請求の範囲】
【請求項１】
上部にポンプヘッド、内部に可動中皿、底部に通気孔を有するポンプ容器からなり、ポンプヘッドの吐出孔が筒型ホルダーピンで櫛部と連通している塗布用具。
【請求項２】
櫛部の容器に対するねじれが防止されている請求項１記載の塗布用具。
【請求項３】
櫛部が、ポンプヘッドに嵌入される突出部を有する請求項２記載の塗布用具。
【発明の詳細な説明】
【技術分野】
【０００１】
本発明は、上部にポンプヘッドが挿入され、内部に可動中皿が配設され、底部に通気孔が設けられたポンプ容器を用いた塗布用具に関する。
【背景技術】
【０００２】
この種のポンプ容器は公知であり、可動中皿がその最も低い位置にある場合に、該容器の底部に隣接し、可動中皿とポンプヘッド領域との間の空間には、例えば、液状化粧料が満たされる（特許文献１）。その容器に満たされた内容物の所望量が、ポンプヘッドの操作により吐出孔から吐出され、その吐出量に応じて、容器内側の可動中皿が、内容物のほぼ全量が吐出されるまで徐々にポンプヘッドに向かって上方に動く。
【０００３】
このポンプ容器からは、いくつかのポンプ操作で内容物の任意量を吐出させることができる。しかしながら、例えば、追加的な手段をとることなく内容物を均一に塗布することはできない。
【０００４】
【特許文献１】特開平１０−３０５５２号公報
【発明の開示】
【発明が解決しようとする課題】
【０００５】
本発明は、公知のポンプ容器を用い、該容器に充填された内容物の塗布、特に均一に塗布できるようにすること、より詳しくは、使用者の毛髪へ毛髪化粧料を均一に塗布できるようにすることを課題とする。
【課題を解決するための手段】
【０００６】
上述の課題を解決するため、本発明は、上部にポンプヘッド、内部に可動中皿、底部に通気孔を有するポンプ容器からなり、ポンプヘッドの吐出孔が筒型ホルダーピンで櫛部と連通している塗布用具を提供する。
【発明の効果】
【０００７】
本発明の塗布用具によれば、上部にポンプヘッド、内部に可動中皿、底部に通気孔を有するポンプ容器に充填した毛髪化粧料を、ポンプヘッドの操作により櫛部から吐出させ、毛髪に均一に塗布することが可能となる。
【発明を実施するための最良の形態】
【０００８】
以下、一つの製品に組み立てられた本発明の塗布用具の個々の部材を示す図を参照しつつ、本発明を一実施例により説明する。
【０００９】
図１は、例えば、プラスチック材料又はアルミニウムといった金属材料から形成された塗布用具１０を表している。
【００１０】
ポンプ容器１内部の底部には可動中皿が配置されている（図示せず）。可動中皿は、好ましくはプラスチックで形成され、この容器１を密封できるように容器１の内壁に沿って摺動し、必要に応じて１以上の環状シーリング縁部を備えている。容器１の底部には通気孔が設けられている（図示せず）。容器１の上部にはポンプヘッド２が取り付けられており、押圧により又はネジ山にねじ込むことにより、容器１に固定されている。
【００１１】
ポンプ容器１の上には、蓋部３が配設されている。蓋部３は、筒型ホルダーピンの一態様として中央にパイプソケット４を備えている。このパイプソケット４は、ポンプヘッド２の吐出孔と連通し、ポンプ容器１に充填されている毛髪化粧料を吐出させることを可能とする。
【００１２】
また、蓋部３は２本の平坦な突出部５を有しており、この突出部５はそれぞれポンプヘッド２のシャフト（図示せず）に嵌入し、櫛部６とポンプ容器１とのねじれを防止する。
【００１３】
蓋部３への押圧力は、また、ポンプヘッド２を確実に動作させ、ポンプの各操作により、毛髪化粧料の一部がパイプソケット４に到達し、さらに、蓋部３の上端部８と嵌合している櫛部６の中に入る。櫛部６に形成されている多数の櫛歯７が、他に付属部品を用いることなく、吐出された毛髪化粧料を毛髪に塗布することを可能とする。
【００１４】
櫛部６の各櫛歯７には通液路が形成され、吐出孔が開口している。一方、蓋部３の上端部８では、パイプソケット４に連通した通液路が部分的に露出しており、この上端部８に櫛部６が好ましくは取り外し可能に嵌め入れられる。この櫛部６により、毛髪化粧料を櫛歯７で塗布することが可能となる。櫛部６を含む上端部８全体が、好ましくは取り外し可能なプラグイン部材として設計され、それにより例えば、洗浄が容易となる。
【００１５】
ポンプ容器１と蓋部３の双方を楕円形及び／又は非円形の横断面を有するように設計してもよく、又は角まった又は多角形の突出部と凹部を設け、それによってポンプ容器１と蓋部３の相互のねじれを防止するようにしてもよい。
【産業上の利用可能性】
【００１６】
この塗布用具は、種々のヘアカラー、ヘアマニュキュア等の染毛剤、スタイリング剤、コンディショニング剤等の液状の毛髪化粧料の塗布に適用することができる。
【図面の簡単な説明】
【００１７】
【図１】塗布用具の構成部品を示す側面図である。
【符号の説明】
【００１８】
１    ポンプ容器
２    ポンプヘッド
３    蓋部
４    パイプソケット
５    突出部
６    櫛部
７    櫛歯
８    蓋部の上端部
１０    塗布用具
【図１】
2005087838.tif 000003
(57)【要約】【課題】太陽光が照射される時間に制約を受けることなく、また光触媒と大気との間の接触効率を向上させ、さらに光触媒の再生のための交換を容易に行う。【解決手段】基台１上に固定された円筒状の本体フレーム２と、該本体フレームの下部に形成された吸気口３と、上部に形成された排気口４と、前記本体フレームの外周面に装着された太陽電池パネル５と、前記本体フレームの内部に着脱自在に配置され、光触媒を担持した筒状の透過フィルター６と、前記透過フィルターの内部に配設された紫外線ランプ１０とを備え、前記太陽電池により紫外線ランプを点灯させる。【選択図】図１
2005087899.tif 000002
【特許請求の範囲】
【請求項１】
基台上に固定された円筒状の本体フレームと、該本体フレームの下部に形成された吸気口と、上部に形成された排気口と、前記本体フレームの外周面に装着された太陽電池パネルと、前記本体フレームの内部に着脱自在に配置され、光触媒を担持した筒状の透過フィルターと、前記透過フィルターの内部に配設された紫外線ランプとを備え、前記太陽電池により紫外線ランプを点灯させることを特徴とする大気汚染物質除去装置。
【発明の詳細な説明】
【技術分野】
【０００１】
本発明は、市街地道路、駐車場等に設置し、周辺大気を浄化するための大気汚染物質除去装置に関する。
【背景技術】
【０００２】
都市部の交通量の増大による自動車排気ガスおよび大規模商業施設等の発生熱源からのＮＯｘなどによる大気汚染が大きな社会問題となっている。これらの大気汚染物質の除去手段として、二酸化チタンと活性炭との混合物からなる光触媒が開発されている。この光触媒は、近紫外線の照射により二酸化チタンが活性化し、大気との接触反応によりＮＯｘなどの汚染物質を常温で効率良く酸化除去するとともに、生じた酸化生成物を活性炭が吸着保持するように機能する。そして、酸化生成物の付着・堆積により機能が低下した光触媒は、水洗浄などで酸化生成物を洗い流すことで容易に再生することができる。
【０００３】
従来、光触媒シートの表面側に対向して配置した光源ランプと、光触媒シートの裏面側に背中合わせに配置した太陽電池パネルとを備え、この光源ランプを太陽電池で点灯させる有害ガス除去装置が提案されている（特許文献１参照）。
【特許文献１】特開平９−１３１５１３号公報
【発明の開示】
【発明が解決しようとする課題】
【０００４】
しかしながら、上記従来の装置においては、太陽電池パネルが平面形状であるため、太陽の向きによって太陽光が照射される時間に制約を受けてしまうという問題を有し、また光触媒シートと大気との間の接触効率が悪いという問題を有し、さらに光触媒シートの再生のための交換作業が面倒であるという問題を有している。
【０００５】
本発明は、上記従来の問題を解決するものであって、太陽光が照射される時間に制約を受けることなく、また光触媒と大気との間の接触効率を向上させ、さらに光触媒の再生のための交換を容易に行うことができる大気汚染物質除去装置を提供することを目的とする。
【課題を解決するための手段】
【０００６】
そのために、本発明の大気汚染物質除去装置は、基台上に固定された円筒状の本体フレームと、該本体フレームの下部に形成された吸気口と、上部に形成された排気口と、前記本体フレームの外周面に装着された太陽電池パネルと、前記本体フレームの内部に着脱自在に配置され、光触媒を担持した筒状の透過フィルターと、前記透過フィルターの内部に配設された紫外線ランプとを備え、前記太陽電池により紫外線ランプを点灯させることを特徴とする。
【発明の効果】
【０００７】
本発明によれば、太陽光が照射される時間に制約を受けることなく、また光触媒と大気との間の接触効率を向上させ、さらに光触媒の再生のための交換を容易に行うことができる。
【発明を実施するための最良の形態】
【０００８】
以下、本発明の実施の形態を図面に基づいて説明する。図１は、本発明の大気汚染物質除去装置の１実施形態を示し、図（Ａ）は縦断面図、図（Ｂ）は図（Ａ）のＢ−Ｂ線で切断し矢印方向に見た断面図である。
【０００９】
図１において、基台１上には、円筒状の本体フレーム２が固定され、本体フレーム２の下部には吸気口３が形成され上部には排気口４が形成されている。本体フレーム４の外周面には筒状の太陽電池パネル５が装着されている。本体フレーム２の内周には縦方向に複数のリブ２ａが形成され、このリブ２ａに当接するように、光触媒を担持した筒状の透過フィルター６が位置決め配置されている。本発明に使用する光触媒としては二酸化チタン単独でも良いが、二酸化チタンに活性炭を混合すれば、生じた酸化生成物の吸着保持がより良好に行われる。
【００１０】
透過フィルター６の上部には支持片７が設けられ、支持片７は本体フレーム２に着脱自在に固定されている。透過フィルター６内の下方にはファン８が配設され、本体フレーム２の上部には蓋部材９が載置され、蓋部材９の下面に紫外線ランプ１０が固定され、透過フィルター６の内部に配置されている。
【００１１】
本発明においては、太陽電池パネル３を電源としてファン８が運転されるとともに、紫外線ランプ１０が点灯され、吸気口３から流入し上方に向かう大気は、透過フィルター６と三次元的に効率良く接触され、紫外線の照射により透過フィルター６の二酸化チタンが活性化し、大気との接触反応によりＮＯｘなどの汚染物質を常温で効率良く酸化除去され、排気口４から排出される。
【００１２】
透過フィルター６が酸化生成物の付着・堆積により機能が低下した場合には、蓋部材９を取り外し、透過フィルター６を新しいものと交換することにより、容易に大気汚染物質の除去機能を維持することができる。
【００１３】
以上、本発明の実施の形態について説明したが、本発明はこれに限定されるものではなく、種々の変更が可能である。例えば、太陽電池に蓄電池を接続して夜間の運転に備えるようにしてもよいし、商用電源を補助電源としてもよい。また、ファン８を省略して自然換気により行ってもよい。
【図面の簡単な説明】
【００１４】
【図１】本発明の大気汚染物質除去装置の１実施形態を示し、図（Ａ）は縦断面図、図（Ｂ）は図（Ａ）のＢ−Ｂ線で切断し矢印方向に見た断面図である。
【符号の説明】
【００１５】
１…基台、２…本体フレーム、３…吸気口、４…排気口、５…太陽電池パネル
６…透過フィルター、１０…紫外線ランプ
【図１】
2005087899.tif 000003
(57)【要約】【課題】  電位治療器にあって、大地から比較して、印加高電圧近い電位が人体（被治療者）には架かっており、大地に接している第三者が触ると電流が流れ電撃を感じるが、大地に接している第三者が触れても電流が流れず電撃を感じることの無いようにしようとするものである。【解決手段】  絶縁された通電導子の一つを人体の一部近傍に直接或は補助絶縁体を介して設置し、もう一つの絶縁された通電導子を人体を挟んだ反対側近傍に設置し、それぞれの通電導子にトランスで電位差を待たせた電位が供給されるようにしたことを特徴とする電位治療器である。【選択図】  図1
2005087427.tif 000002
【特許請求の範囲】
【請求項１】
絶縁された通電導子の一つを人体の一部近傍に設置し、もう一つの絶縁された通電導子を人体を挟んだ反対側近傍に設置し、それぞれの通電導子にトランスで電位差を待たせた電位を供給自在としたことを特徴とする電位治療器。
【請求項２】
人体の一部近傍に設置する一方の通電導子は、電界の治療有効範囲において人体に電撃を受ける恐れの少ない10mm以上の厚さの補助絶縁体で離間することを特徴とする請求項1記載の電位治療器。
【発明の詳細な説明】
【技術分野】
【０００１】
本発明は、高電圧を利用して治療を行う電位治療器に関するものである。
【背景技術】
【０００２】
図４は従来から使用されている電位治療器の通常の使用状態を示した図で、電位治療器本体より発生された電圧は絶縁体で覆われた通電導子（Ａ：電極）に印加され、絶縁体１を通して大地より絶縁された人体（被治療者）に接地する。一方の電圧は渡り抵抗と呼ばれる抵抗（Ｒ0）を経由して商用電源電線を通して大地に接続され、その大地及び電気的に接続されている家の床・壁・天井などを通電導子（Ｂ：電極）として構成される。その電界の中に居て且つ大地より絶縁された人体は、電界に作用され刺激を受け治療となる。しかし、大地より絶縁されていない第三者が治療中の人体（被治療者）に触ると危険ではないが微小な電流が流れ両者とも電撃を感じる。
【発明の開示】
【発明が解決しようとする課題】
【０００３】
上記のように、大地から比較して、印加高電圧近い電位が人体（被治療者）には架かっている為、大地に接している第三者が触ると電流が流れ電撃を感じる。従って、人体（被治療者）に印加する電圧が大地から分離されていれば、大地に接している第三者が触れても電流が流れず電撃を感じることが無いように、通電導子（Ｂ：電極）を大地及び電気的に接続されている家の床・壁・天井などとせず、大地より絶縁された通電導子（Ｂ：電極）を新規に設置し、高電圧を印加するようにする。
【課題を解決するための手段】
【０００４】
絶縁された通電導子の一つを人体の一部近傍に設置し、もう一つの絶縁された通電導子を人体を挟んだ反対側近傍に設置し、それぞれの通電導子にトランスで電位差を待たせた電位が供給されるようにしたことを特徴とするものである。
【発明の効果】
【０００５】
二つの通電導子（Ａ：電極）及び（Ｂ：電極）は人体（被治療者）の近くに設置できることで、従来より低い電圧で従来と同等の電界強度を発生させることができ、二つの通電導子で作られる電界の中にある人体は、電界に作用され刺激を受け治療となる。
【０００６】
この時、大地に接している第三者が治療中の人体（被治療者）に触っても電流が流れず電撃が発生することが無い。
【発明を実施するための最良の形態】
【０００７】
絶縁された通電導子の一つを人体の一部近傍に設置し、もう一つの絶縁された通電導子を人体を挟んだ反対側近傍に設置し、それぞれの通電導子にトランスで電位差を待たせた電位が、第三者に電撃の生じないようにしたことを特徴とする。
【実施例１】
【０００８】
図１の実施例で説明すると、絶縁体１で覆われ大地より絶縁された通電導子（Ａ：電極）を人体（被治療者）に接地若しくは接近させ、もう一方の通電導子も同様に絶縁体で大地より絶縁された通電導子（B：電極）として、これを人体（被治療者）を挟んだ位置に接地若しくは接近させ、その各通電導子Ａ，Ｂに高電圧を印加し、その際、二つの通電導子Ａ，Ｂで作られる電界の中にある人体は、電界に作用され刺激を受け治療となる。この時、大地に接している第三者が治療中の人体（被治療者）に触っても、大地との間では人体の電位が低い為、電流が小さく電撃の発生することが少ない。
【０００９】
一方の通電導子（A：電極）を人体の臀部または及び足部近傍とした場合は、他方の通電導子（B：電極）は人体の頭部または及び背部両脇近傍とすることによりより効果的な治療ができる。
【００１０】
更に一方の通電導子（A：電極）を人体の背部近傍に配置した場合は、もう一方の通電導子（B：電極）は胸部または腹部近傍とすることによりより効果的な治療ができる。
【実施例２】
【００１１】
更に、絶縁体で覆われた通電導子（電極）Ａと人体（被治療者）との間を絶縁効果の高い補助絶縁体２を用いて離すことで、大地より絶縁されていない第三者が治療中の人体（被治療者）に触れても殆ど電流は流れず電撃を受けることがなく、実施例1の電位治療器に比較し大地に接してる第三者には殆ど電撃を受ける恐れがない。２つの絶縁体で覆われた通電導子（電極）Ａ，Ｂ間に居る人体（被治療者）は２つの導子（電極）間距離や導子面積や印加電圧が変わらなければ、同等の電界を受けることになる。絶縁効果の高い補助絶縁体２は空間を設けて通電導子Ａ（電極）より人体（被治療者）を離すことでもよい。補助絶縁体２の厚さ或は人体との距離は、電界の治療有効範囲において人体に電撃を受ける恐れの少ない10mm以上の厚さの補助絶縁体２で離間することを特徴とする。尚、二つの通電導子（電極）Ａ，Ｂまでの距離や導子面積や印加電圧を変えなければ、治療中の人体（被治療者）の電界強度は変わらない為、治療効果も変らない。
【００１２】
使用例として、椅子に腰掛けた場合は図２のように一方の通電導子（A：電極）を人体の臀部または及び足部近傍としその上に補助絶縁体２を重ねて被い、他方の通電導子（B：電極）は背もたれの両脇に配し、人体の頭部または及び背部両脇近傍とすることによりより効果的な治療ができる。
【００１３】
更に布団等に仰向きに伏した状態では、図3のように一方の通電導子（A：電極）に補助絶縁体２を重ねて被い、この上に人体の背部に接するように伏した場合は、もう一方の通電導子（B：電極）は胸部または腹部近傍とすることによりより効果的な治療ができる。
【図面の簡単な説明】
【００１４】
【図１】本発明に係る電位治療器の説明図
【図２】本発明他実施例に係る電位治療器の説明図
【図３】他実施例に係る電位治療器の使用状態説明図
【図４】従来電位治療器の説明図
【符号の説明】
【００１５】
Ａ  通電導子
Ｂ  通電導子
１  絶縁体
２  補助絶縁体
【図１】
2005087427.tif 000003
【図２】
2005087427.tif 000004
【図３】
2005087427.tif 000005
【図４】
2005087427.tif 000006
(57)【要約】【課題】  二輪車の施錠が簡単で、また車体の構造及び車輪の大きさによらず取り付けられる錠装置の提供。【解決手段】  二輪車のブレーキレバーに施錠する錠装置を提供する。ブレーキレバーを握り、ブレーキを掛けた状態で鍵を回すとブレーキレバーが固定され簡単に施錠できる。この錠装置は、車体の構造及び車輪の大きさによらず、ケーブルを引き制動を得る方式のブレーキ装置があれば本発明の錠装置を取り付けることができる。【選択図】        図１
2005280672.tif 000002
【特許請求の範囲】
【請求項１】
自転車等二輪車のブレーキレバーに施錠装置を付けたものであり、ブレーキレバーを引き、車輪を制動させた状態で当該レバーを固定し施錠状態とする錠装置。
【請求項２】
上記ブレーキレバー支点固定部付近にキーシリンダーを設け、連動する螺旋回転軸が回転し回転翼の可動により固定端子をブレーキレバー前面に押し出すことによりブレーキレバーを引いた状態で固定する錠装置。
【請求項３】
請求項１及び２の錠装置において、当該錠以外の前輪及び後輪錠、ループ型ワイヤー錠を備え、開錠する鍵が共通であることを特徴とする錠装置。
【発明の詳細な説明】
【技術分野】
【０００１】  本発明は、ブレーキレバーに施錠装置をつけた二輪車の錠装置に関する。
【背景技術】
【０００２】  一般に、自転車等の錠は、箱型の前輪錠及び後輪錠であり、後輪錠は馬蹄型の錠も最近では数多く見られる。【０００３】  最近では、ハンドルの回転を固定して施錠する錠やスタンドを固定して施錠するもの、サドルを跳ね上げた状態で固定し乗車できなくする錠装置が開発されている。また、二つの錠装置をワイヤー等で繋ぎ、一箇所を施錠すると他方が連動する錠装置も開発されている。
【発明の開示】
【発明が解決しようとする課題】
【０００４】  一般的な自転車等の錠は、乗車したままでは施錠できず、屈んだ姿勢で施錠するか、一度降車して施錠しなければならず、施錠するのに面倒であった。【０００５】  一方、折り畳み自転車、マウンテンバイク、幼児用自転車などは、車体の構造上及び車輪の大きさ等により錠装置を付けることができない車種があり、ループ型のワイヤー錠を別途購入して施錠しなければならなかった。【０００６】  本発明は、二輪車錠にて上記の問題点を解決し、簡単に施錠できる錠装置の提供を目的とする。
【課題を解決する為の手段】
【０００７】  本発明は、手軽に施錠ができる錠装置を検討した結果、二輪車乗車時に乗車人の手元にあるブレーキレバーに錠装置を施すことを見出し、ブレーキレバーを握り、ブレーキを掛けた状態でブレーキレバーを固定し施錠する錠装置を提供する。ブレーキレバーを握り、ブレーキを掛けた状態で鍵を回すとブレーキレバーが固定でき、簡単に施錠できる。
【０００８】  ブレーキレバーを握るとブレーキケーブルが引かれ、ブレーキがかかり、車輪を制動させた状態で固定すれば走行は不可能であり、その固定装置に施錠できれば、既錠装置と同様の施錠効果がある。
【発明の効果】
【０００９】  二輪車乗車人の手元にあるブレーキレバー取付け部にキーシリンダーがあるため、施解錠操作が極めて容易である。また、折り畳み自転車、マウンテンバイク、幼児用自転車などの錠装置を付けることができない車種でも錠装置を施すことが可能である。
【発明を実施するための最良の形態】
【００１０】  以下に、本発明の錠装置について図面を参考にしながら詳細に説明する。【００１１】  ブレーキレバー支点固定部４の付近に錠装置のキーシリンダー８を設け、キーシリンダー８と連動する回転翼１０を備えた螺旋回転軸７があり、その回転動作により固定端子５がブレーキレバー３の前面に入り込み、通常位置に戻る動作を阻害することが本錠装置の概略である。【００１２】  一般に、ブレーキレバー３を引くとブレーキケーブルが引かれ、ブレーキ機器が作動し車輪は動かなくなる。このブレーキレバー３を引いた状態で鍵９を回すとキーシリンダー８と連動し螺旋回転軸７が回転し、回転翼１０が可動し、固定端子５を前面上部に押し上げ、ブレーキレバー３の前面に入り込み、動きを固定し、制動が掛かった状態を維持することにより、施錠効果となる。【００１３】  開錠する際は、鍵９をキーシリンダー８に差込み、鍵９を回すとキーシリンダー８に連動し螺旋回転軸７が回転し、回転翼１０が可動し固定端子５がブレーキレバー３の前面より外れ、ブレーキレバー３が通常位置に引き戻され制動が解除され開錠状態となる。【００１４】  この錠装置の鍵で施開錠できる前輪及び後輪錠、ループ型ワイヤー錠など他のもう一つの錠を設けることにより、同じ一本の鍵で二つの錠を施開錠でき、大変便利であるほか、二重施錠することによって、より盗難防止効果を得られる。
【図面の簡単な説明】
【図１】本発明の錠装置の斜視図である。
【図２】本発明における錠装置の断面図である。
【図３】本発明における錠装置のブレーキレバーの作動図である。
【図４】本発明における錠装置の上面図である。
【図５】本発明における錠装置の底面図である。
【符号の説明】
１    ハンドルバー
２    グリップ
３    ブレーキレバー
４    ブレーキレバー支点
５    固定端子
６    固定端子バネ
７    螺旋回転軸
８    キーシリンダー
９    鍵
１０  回転翼
【図１】
2005280672.tif 000003
【図２】
2005280672.tif 000004
【図３】
2005280672.tif 000005
【図４】
2005280672.tif 000006
【図５】
2005280672.tif 000007
(57)【要約】【課題】  幼児用補助椅子の、直射日光による温度上昇を、容易な方法をもって防止する。【解決手段】  幼児用補助椅子の下部にカバーを常備させ、必要時に着脱させる。【選択図】  図１
2005280674.tif 000002
【特許請求の範囲】
【請求項１】
幼児用補助椅子の、直射日光による温度上昇を防ぐ為に、幼児用補助椅子の下部に、日光の遮断性に優れた素材のカバーを取り付け、片手でも容易に着脱可能なことが特徴の日よけカバー。
【発明の詳細な説明】
【技術分野】
【０００１】  本発明は、幼児用補助椅子の日よけカバーに関するものである。
【背景技術】
【０００２】  従来の自転車カバーは、自転車本体の汚れや、雨よけを目的とし、自転車本体を覆うものである。（例えば、特許文献１参照。）。
【特許文献１】  特開平１２−２１９１７９号  公報
【発明の開示】
【発明が解決しようとする課題】
【０００３】  以上に述べた従来の自転車カバーは、自転車未使用時に用いることが主で、日常の買い物等の駐輪時、夏季の強い直射日光による、幼児用補助椅子の温度上昇を、容易に防ぐことが困難である。
【課題を解決する為の手段】
【０００４】  本発明は、幼児用補助椅子本体の下部にカバーを取り付け、荷物や幼児を抱えた人間が、片手でカバーを着脱させることができる。
【発明の効果】
【０００５】  本発明は、上述したように、片手で容易にカバーを着脱できることで、直射日光による、幼児用補助椅子の温度上昇を防ぎ、肌の弱い幼児のやけどを未然に防止し、温度を冷ます煩わしさも解消することができる。
【発明を実施する為の最良の形態・実施例】
【０００７】  本発明のカバーは、図１で示されるように、幼児用補助椅子本体の、下部後方のマジックテープにカバーを取り付け、カバー本体に付いている帯を、下部前方のマジックテープに固定させ収納。使用時には、図２に示されるように、幼児用補助椅子の、下部前方のマジックテープに固定させた帯をはずし、その帯を引っ張りながら、幼児用補助椅子本体を覆う。
【図面の簡単な説明】
【０００８】
【図１】  本発明の収納時の側面図である。
【図２】  本発明の使用時の側面図である。
【符号の説明】
【０００９】    １    幼児用補助椅子本体
２    カバー本体
３    マジックテープ
４    収納時のカバー固定帯
【図１】
2005280674.tif 000003
【図２】
2005280674.tif 000004
(57)【要約】【課題】  点字入りの名刺をコンピュータ等の機器の光学式読み取り装置で読み取り可能な名刺を実現する。【解決手段】  ほぼ通常サイズの名刺用紙を２枚連続して設け、その一方の名刺１に通常の文字印刷を行い、他方の名刺２に点字のみを打刻し、かかる文字印刷名刺１と点字打刻名刺２とをミシン目３で切り離し、文字印刷名刺１を前記光学式読み取り装置で読み取り可能とした。また前記点字打刻名刺２を文字印刷名刺１よりやや大きめに設定してミシン目で切り離した後、仕分けしやすくした。【選択図】図１
2005280019.tif 000002
【特許請求の範囲】
【請求項１】
ほぼ通常サイズの名刺用紙を２枚連続して設け、その一方の名刺（１）に通常の文字印刷を行い、他方の名刺（２）に点字のみを打刻し、かかる文字印刷名刺（１）と点字打刻名刺（２）とをミシン目（３）で切り離し出来るようにした点字入り名刺。
【請求項２】
前記点字打刻名刺（２）を文字印刷名刺（１）よりやや大きめに設定してミシン目で切り離すようにした請求項１記載の点字入り名刺。
【発明の詳細な説明】
【技術分野】
【０００１】
この発明は、名刺の受取人が点字刻印部分と印刷部分とを切り離し、必要部分を保管可能とした点字入り名刺に関するものである。
【背景技術】
【０００２】
一般的に用いられる通常の名刺は、各一辺が約８５〜９５ｍｍと約５０〜６０ｍｍの大きさで、表面に所属、氏名・名称、連絡先所在地、連絡先電話番号等を印字し、材質は印刷可能な厚手の紙製のものが通常である。また、図３に示すようにこの通常の名刺に点字が刻印されたものも一般に知られている。
【発明の開示】
【発明が解決しようとする課題】
【０００３】
然しながら図３のような従来の点字名刺４は、印刷された文字５と点字６が重なっているため、視覚障害者等が文字情報をコンピュータ等の機器を利用し光学式読み取り装置で読み取る場合に読取不能であり、コンピュータシステム等で住所録管理等が即利用できなかった。このため通常の点字名刺本来の目的である「視覚障害者とのコミュニケーション」を成立させることが達成できないという問題がある。
【０００４】
また現在、２次元バーコードをカメラ付き携帯電話で読み取る技術があり、将来さらに普及することが予測されるが、２次元バーコードと点字が重なると同様に読取不能となる。また、一般の者が点字と印字をダブらせた点字打刻名刺を受け取った場合、市販の名刺ホルダー等に保管しにくく破棄されてしまうこともあった。
【課題を解決するための手段】
【０００５】
本発明の点字入り名刺は、請求項１に記載のように、ほぼ通常サイズの名刺用紙を２枚連続して設け、その一方の名刺１に通常の文字印刷を行い、他方の名刺２に点字のみを打刻し、かかる文字印刷名刺１と点字打刻名刺２とをミシン目３で切り離し出来るようにしたことを特徴とする。
【０００６】
また請求項２に記載のように、前記点字打刻名刺２を文字印刷名刺１よりやや大きめに設定してミシン目で切り離すようにしたこと等を特徴としている。
【発明の効果】
【０００７】
本発明の点字入り名刺は、通常の文字印刷と点字打刻が重複していないので受け取った視覚障害者等が点字によって情報を得ることができ、通常文字もコンピュータ等の光学式読取装置で誤作動無く読み取り、音声に変換して聞くことが出来る。また切り取ることで通常の名刺と同様に文字印刷名刺と点字打刻名刺とを仕分けして区分保管することができる。さらに点字名刺をやや大きなサイズとしたので視覚障害者でもサイズで違いが容易に分かり仕分けしやすい等の効果がある。
【発明を実施するための最良の形態】
【０００８】
本発明の点字入り名刺は、中央をミシン目で切り取り可能とした２葉の名刺の一方に通常の文字印刷を行い、他方に点字のみを刻印したものである。
【実施例１】
【０００９】
以下、本発明の実施例について図面を参照しながら説明する。
本発明の点字入り名刺は、図１に示すように、ほぼ通常サイズの名刺用紙を２枚連続して設け、その一方の名刺１に通常の文字印刷を行い、他方の名刺２に点字のみを打刻し、かかる文字印刷名刺１と点字打刻名刺２とをミシン目３で切り離し可能なようにしたものである。またこの実施例１では点字打刻名刺２を文字印刷名刺１より縦方向にやや大きめに設定してミシン目で切り離すようにしたので視覚障害者も切り離した名刺を区分け、整理するときにサイズで識別が容易にできるようにした。
【実施例２】
【００１０】
また図２に示すものは、図１の上下連続式に対し、横方向に連続式としたものであって、それ以外は前述の実施例１のものと同一である。そしていずれも使用するときは、ミシン目３で折畳み、財布、名刺入れなどに収容し使用する。また整理、収容時には必要に応じてミシン目で切り離して使用する。また光学式読取装置で読み取る場合は、文字印刷部分を読み取るようにする。
【図面の簡単な説明】
【００１１】
【図１】実施例１の説明図である。
【図２】実施例２の説明図である。
【図３】従来の点字と文字が重なった名刺である。
【符号の説明】
【００１２】
１  文字印刷名刺
２  点字打刻名刺
３  ミシン目
４  従来の点字名刺
５  印刷文字
６  点字
【図１】
2005280019.tif 000003
【図２】
2005280019.tif 000004
【図３】
2005280019.tif 000005
(57)【要約】【課題】コンクリート柱を成型する際、円形型枠が膨れないよう、その周りに巻回したチェーンを引き絞るための締付け金具を得る。【解決手段】ボルト２の片側に右雄ねじ３ａ、反対側に左雄ねじ３ｂを刻設し、中央部はスパナがかかるように角断面４に形成する。各雄ねじ部に対応する雌ねじを刻んだナット５ａ、５ｂを螺合する。これらナットには、フック６を口を内側に向けて溶接する。【選択図】図１
2005280032.tif 000002
【特許請求の範囲】
【請求項１】
コンクリート製の円柱を成型する際に、円筒状に組み合わされた複数枚の該湾曲型枠板の周囲に巻き付けたチェーンまたはロープを引き絞るためのものであり、片側に右ねじを、反対側に左ねじをそれぞれ刻み、一部に角断面部を有するボルトと、該左右ねじにそれぞれ螺合したナットと、各ナットに設けた、該チェーンまたはロープの端を係合するための係止部からなる円形型枠締付け金具。
【発明の詳細な説明】
【技術分野】
【０００１】
本発明は、建物や橋などにおける円形断面のコンクリート柱を成型する際、円形型枠が内圧を受けて膨れないよう、その周りに巻回したロープないしチェーンを引き絞るための締付け金具に関する。
【背景技術】
【０００２】
従来、円形型枠の締付けにはシメラー（張線器）が広く用いられていた。この器具は、ハンドルを揺動すると、ラチェットの働きでハンドル軸にワイヤロープが巻き取られる構造になっている。使用するときは、シメラーから延びるワイヤを円形型枠の周りに巻き付けてレバーを揺動するだけで締付けできるので、操作性よい。しかし、単価が高く、工事に必要な本数をそろえるのにかなりの費用がかかる。
【発明の開示】
【発明が解決しようとする課題】
【０００３】
この発明は、シメラー（張線器）に代わる、安価で使い勝手のよい円形型枠締付け金具を提供することを課題とする。
【課題を解決するための手段】
【０００４】
この発明の円形型枠締付け金具は、片側に右ねじを、反対側に左ねじをそれぞれ刻み、一部に角断面部を有するボルトボルトと、該左右ねじにそれぞれ螺合したナットと、各ナットに設けた、チェーンまたはロープの端を係合するための係止部（例えばフック）から構成する。
【０００５】
使用するときは、円形型枠に巻き付けたロープないしチェーンの両端を、この金具の係止部にそれぞれ留める。こうして、角断面部にスパナをかけるなどしてボルト回すと、ボルトには右と左のねじが切ってあってそれぞれにナットが螺合しているので、２つのナットは互に反対方向に動く。したがって、２つのナットが互に接近するような方向にボルトを回せば、ロープないしチェーンは引き絞られ、コンクリートを打設したときの型枠の膨れを阻止することができる。
【０００６】
この締付け金具は、構造が極めてシンプルであり、安価に提供でき、また、誰でも容易に使うことができるという効果がある。  
【発明を実施するための最良の形態】
【０００７】
図１は締付け金具１を示したもので、ボルト２の片側に右雄ねじ３ａ、反対側に左雄ねじ３ｂを刻設し、中央部はスパナがかかるように角断面４に形成する。各雄ねじ部に対応する雌ねじを刻んだナット５ａ、５ｂを螺合する。これらナットには、フック６を口を内側に向けて溶接する。
【０００８】
この締付け金具１の使用状態を示したのが図２である。鉄筋７を取り囲むようにして、４枚の湾曲合板８を組み合わせ、各合板の縁に取り付けた桟木９同士を釘止めして円形型枠１０を形成する。次いで、円形型枠の周囲に一定間隔で鋼管の支柱１１を沿わせる。支柱は針金と釘を使って型枠１０に仮止めする。
【０００９】
こうしておいて、支柱の周りにチェーン１２を巻き付け、チェーンの端を、締付け具のフック６にそれぞれ掛ける。次いで、図１に示すように、ボルトの角断面部４にスパナ１３を掛けて、２つのナット５ａ、５ｂが図１に鎖線で示すように互に近寄ってくる方向にボルトを回す。こうして、チェーン１２を緊張させ、型枠１０が外に膨れないようにして、中にコンクリートを打設する。なお、チェーン１２は1mほどの間隔を置いて型枠の周りに何段にも張るようにする。
【００１０】
型枠１０を外すときは、ボルト２を前と反対方向に回せばチェーンが緩む。
【図面の簡単な説明】
【００１１】
【図１】締付け具の説明図である。
【図２】コンクリート打設時の円形型枠の断面図である。
【符号の説明】
【００１２】
２    ボルト
３ａ  右雄ねじ    
３ｂ  左雄ねじ
５    ナット
６    係止部（フック）
８    湾曲枠板（合板）
１０  円形型枠
１２  チェーン
【図１】
2005280032.tif 000003
【図２】
2005280032.tif 000004
(57)【要約】【課題】廃棄物を効果的に減少させ、天然資源を再利用して、環境汚染を減少させることができる廃棄物からなる再生材から構成される耐火建造物を提供する。【解決手段】本発明の耐火建造物は、再生層と、再生層上の少なくとも一つの非金属繊維層と、からなる。再生層は、非金属繊維層の外側にコートされ、セメント、鉱物廃棄物、及び、接着剤からなる。【選択図】図１
2005280342.tif 000002
【特許請求の範囲】
【請求項１】
耐火建造物であって、再生層と、  前記再生層上の少なくとも一つの非金属繊維層と、からなり、前記再生層は、前記非金属繊維層の外側にコートされ、セメント、鉱物廃棄物、及び、接着剤からなることを特徴とする耐火建造物。
【請求項２】
前記鉱物廃棄物は、石炭灰、石炭の燃え殻、スラグ、焼却灰、泥灰、反応灰、廃棄磁土、及び、鋳物砂等であることを特徴とする請求項１に記載の耐火建造物。
【請求項３】
前記接着剤は、白色セラック等の親水性接着剤であることを特徴とする請求項１に記載の耐火建造物。
【請求項４】
前記再生層は、更に、化学物質を含み、前記化学物質は、脱水剤、可塑剤、或いは、強化添加剤であることを特徴とする請求項１に記載の耐火建造物。
【請求項５】
前記非金属繊維層は、不織布であることを特徴とする請求項１に記載の耐火建造物。
【請求項６】
前記耐火建造物は、前記再生層上の複数の非金属繊維層を有することを特徴とする請求項１に記載の耐火建造物。
【請求項７】
前記再生層は、前記非金属繊維層に結合されて、シート板、半円筒形、チューブ状構造を、それぞれ形成することを特徴とする請求項１に記載の耐火建造物。
【発明の詳細な説明】
【技術分野】
【０００１】
本発明は、廃棄物からなる再生材から構成される耐火建造物に関するものであって、特に、効果的に、廃棄物を減少させ、天然資源を再利用し、環境汚染を減少させる耐火建造物に関するものである。
【背景技術】
【０００２】
現代社会では、石炭灰、石炭の燃え殻、スラグ、焼却灰、泥灰、反応灰、廃棄磁土、及び、鋳物砂等の廃棄物が増える一方で、再利用されず、天然資源を消費して、環境汚染の問題になっている。
【発明の開示】
【発明が解決しようとする課題】
【０００３】
本発明は、廃棄物からなる再生材から構成される耐火建造物を提供することを目的とする。
【０００４】
本発明は、効果的に、廃棄物を減少させる耐火建造物を提供し、天然資源を再利用して、環境汚染を減少させることをもう一つの目的とする。
【０００５】
本発明は、非金属繊維層を含み、耐火建造物の剛性を増加させる耐火建造物を提供することを更なる目的とする。
【課題を解決するための手段】
【０００６】
上述の目的を達成するため、本発明の耐火建造物は、再生層と、前記再生層上の少なくとも一つの非金属繊維層と、からなり、前記再生層は、前記非金属繊維層の外側にコートされ、セメント、鉱物廃棄物、及び、接着剤からなる。
【発明の効果】
【０００７】
本発明は、天然資源を再利用して、環境汚染を減少させるという長所がある。
【発明を実施するための最良の形態】
【０００８】
図１は、本発明の好ましい具体例による耐火建造物１を示した説明図で、再生層３と、再生層３上の少なくとも一つの非金属繊維層２と、からなる。好ましくは、再生層３は、非金属繊維層２の外側にコートされる。更に、再生層３は、非金属繊維層２と結合して、シート板を形成する。
【０００９】
再生層３は、セメント、鉱物廃棄物、接着剤、及び、化学物質からなる。
【００１０】
再生層３に含まれるセメントの重量比は、好ましくは、３５〜４５％である。
【００１１】
鉱物廃棄物は、石炭灰、石炭の燃え殻、スラグ、焼却灰、泥灰、反応灰、廃棄磁土、及び、鋳物砂である。鉱物廃棄物の顆粒は、均等に、再生層３に分布する。再生層３に含まれる鉱物廃棄物の重量比は、好ましくは、３５〜４５％である。
【００１２】
接着剤は、好ましくは、白色セラック等の親水性接着剤で、再生層３に含まれる接着剤の重量比は、好ましくは、１〜５％である。
【００１３】
化学物質は、好ましくは、脱水剤、可塑剤、或いは、強化添加剤で、耐火建造物の剛性を増加させる。再生層３に含まれる化学物質の重量比は、好ましくは、１〜５％である。
【００１４】
非金属繊維層２は、好ましくは、不織布で、耐火建造物１の剛性を増加させる。
【００１５】
耐火建造物は、効果的に、廃棄物を減少させ、天然資源を再利用して、環境汚染を減少させる。
【００１６】
図２を参照すると、耐火建造物１Aは、再生層３Aと、再生層３A上で、同じ方向に並べられた複数の非金属繊維層２Aと、からなる。
【００１７】
図３を参照すると、耐火建造物１Bは、再生層３Bと、再生層３B上の少なくとも一つの非金属繊維層２Bと、からなる。更に、再生層３Bは、非金属繊維層２Bと結合して、半円筒形を形成する。
【００１８】
図４を参照すると、耐火建造物１Cは、再生層３Cと、再生層３C上の少なくとも一つの非金属繊維層２Cと、からなる。更に、再生層３Cは、非金属繊維層２Bと結合して、チューブ状構造を形成する。
【００１９】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００２０】
【図１】本発明の好ましい具体例による耐火建造物を示した説明図である。
【図２】本発明のもう一つの好ましい具体例による耐火建造物を示した説明図である。
【図３】本発明のもう一つの好ましい具体例による耐火建造物を示した説明図である。
【図４】本発明のもう一つの好ましい具体例による耐火建造物を示した説明図である。
【符号の説明】
【００２１】
１、１A、１B、１C…耐火建造物
２、２A、２B、２C…非金属繊維層
３、３A、３B、３C…再生層    
【図１】
2005280342.tif 000003
【図２】
2005280342.tif 000004
【図３】
2005280342.tif 000005
【図４】
2005280342.tif 000006